(57)【要約】【課題】部品点数の削減、および筐体の小形化ができる照明器具を提供する。【解決手段】照明器具12は、筐体20、発光モジュール43、電源ユニット25および取付板22を備える。発光モジュール43は、発光素子およびこの発光素子を実装した基板45を有する。電源ユニット25は、発光モジュール43に電力を供給する。取付板22は、発光モジュール43および電源ユニット25を取り付け、筐体20に固定される。【選択図】図１
2016162595.tif 000002
【特許請求の範囲】
【請求項１】
筐体と；
発光素子を有する発光モジュールと；
前記発光モジュールに電力を供給する電源ユニットと；
前記発光モジュールおよび前記電源ユニットを取り付け、前記筐体に固定される取付板と；
を具備することを特徴とする照明器具。
【請求項２】
前記取付板は、一面に窪み部が設けられるように他面から突出された突出部を有し、前記一面に前記発光モジュールを取り付け、前記他面から突出する前記突出部に前記電源ユニットを取り付けた
ことを特徴とする請求項１記載の照明器具。
【発明の詳細な説明】
【技術分野】
【０００１】
本発明の実施形態は、発光モジュールおよび電源ユニットを内蔵した照明器具に関する。
【背景技術】
【０００２】
従来、例えば防犯灯や街路灯などの照明器具では、筐体内に発光モジュールおよびこの発光モジュールに電力を供給する電源ユニットを配置している。発光モジュールは発光素子からの熱を筐体に効率よく放熱するために金属板に取り付け、この金属板を筐体に取り付けている。また、電源ユニットは、絶縁性を確保するために絶縁板に取り付け、この絶縁板を筐体に取り付けている。このように、発光モジュールおよび電源ユニットは、それぞれ別部品に取り付けて筐体に配置している。
【先行技術文献】
【特許文献】
【０００３】
【特許文献１】特開２０１３−１２５６７４号公報
【発明の概要】
【発明が解決しようとする課題】
【０００４】
しかしながら、発光モジュールおよび電源ユニットはそれぞれ別部品に取り付けて筐体に配置しているため、部品点数が増加し、筐体内のスペースを大きくとる必要があり、筐体が大形になってしまう。
【０００５】
本発明が解決しようとする課題は、部品点数の削減、および筐体の小形化ができる照明器具を提供することである。
【課題を解決するための手段】
【０００６】
実施形態の照明器具は、筐体、発光モジュール、電源ユニットおよび取付板を備える。発光モジュールは、発光素子を有する。電源ユニットは、発光モジュールに電力を供給する。取付板は、発光モジュールおよび電源ユニットを取り付け、筐体に固定される。
【発明の効果】
【０００７】
本発明によれば、部品点数の削減、および筐体の小形化が期待できる。
【図面の簡単な説明】
【０００８】
【図１】一実施形態を示す照明器具の断面図である。
【図２】同上照明器具の分解状態の斜視図である。
【図３】同上照明器具を用いた照明装置の斜視図である。
【図４】同上照明装置の回路図である。
【発明を実施するための形態】
【０００９】
以下、一実施形態を、図１ないし図４を参照して説明する。
【００１０】
図３に照明装置10の斜視図を示す。照明装置10は、屋外照明装置であり、例えば防犯灯や街路灯である。照明装置10では、地面に設置されるポール11の上端近傍に照明器具12が設置され、ポール11の上端に太陽電池パネル（ソーラーパネル）13が設置され、ポール11にバッテリー14およびコントローラ15が設置されている。
【００１１】
図４に照明装置10の回路図を示す。コントローラ15は、充電時に、太陽電池パネル13で発電される電力をバッテリー14に充電し、また、照明器具12の点灯時に、バッテリー14に充電されている電力を放電させて照明器具12に供給するように構成されている。
【００１２】
図１および図２に照明器具12を示す。照明器具12は、筐体20、この筐体20の下面を覆って筐体20との間に収容空間21を形成する取付板22、この取付板22の一面である下面に取り付けられる光源ユニット23、この光源ユニット23を覆って筐体20の下面に取り付けられる透光カバー24、および取付板22の他面である上面に取り付けられる電源ユニット25を有している。
【００１３】
そして、筐体20は、例えばアルミニウムなどの金属製で、下面側が開口され、一端側である基端側にはポール11に取り付けるための取付部28が一体に形成されており、その基端側から反対の他端側である先端側にかけての寸法が長く、幅方向の寸法が短い形状に形成されている。
【００１４】
筐体20の下面周辺部の内側には、取付板22の周辺部が接触して取り付けられる環状の接触部29が形成されているとともに、この接触部29の周囲に環状の凹溝30が形成されている。この凹溝30には透光カバー24との間に介在される環状のパッキング31が配置されている。さらに、筐体20の下面周辺部の四隅には透光カバー24をねじ止めするためのボス32が形成されている。また、筐体20の内周壁面には、取付板22をねじ止めするための複数のボス33が一体に形成されている。
【００１５】
筐体20の基端側には電源ユニット25に電力を供給する入力配線34が挿通する配線孔35が形成されている。配線孔35には入力配線34が挿通するとともに配線孔35を閉塞するためのブッシング36が嵌め込まれ、このブッシング36が取付金具37によって筐体20にねじ止めされている。
【００１６】
また、取付板22は、例えばアルミニウムなどの金属製で、筐体20の下面開口を閉塞するとともに筐体20の接触部29に当接可能とする略長方形板状に形成されている。この取付板22は、取付板22の周辺部が筐体20の接触部29に接触した状態で複数のボス33にねじ止めされ、筐体20の接触部29に圧接されている。取付板22の下面に光源ユニット23が取り付けられ、取付板22の上面に電源ユニット25が取り付けられる。
【００１７】
取付板22の上面には、複数の突出部38が取付板22から一体に突出形成されている。取付板22の下面には、突出部38によって窪み部39が形成されている。突出部38は、円錐台形に形成され、先端面に挿通孔40が形成されている。本実施形態では、突出部38は、取付板22の基端側近傍および先端側近傍にそれぞれ幅方向に２つずつ並んで設けられている。また、取付板22の基端側には配線溝22aが形成されている。
【００１８】
また、光源ユニット23は、発光モジュール43、およびレンズモジュール44を有している。
【００１９】
発光モジュール43は、例えば金属製の基板（光源基板）45上に絶縁層を介して配線パターンが形成され、この配線パターン上に複数の発光素子46およびコネクタ47が実装されている。発光素子46は、例えばＬＥＤであり、パッケージ内にＬＥＤチップを搭載して蛍光体層で封止したＳＭＤ（Surface Mount Device）パッケージが用いられている。なお、発光モジュール43にはＣＯＢ（Chip On Board）モジュールを用いてもよく、あるいは、発光素子46としてＥＬ（Electro Luminescence）素子などを用いてもよい。本実施形態では、発光素子46は、基板45の幅方向に２列で、長手方向に所定の間隔をあけて複数個配列されている。
【００２０】
レンズモジュール44は、例えば透光性を有する樹脂材料やガラスによって形成され、平板状の板部48、および各発光素子46の位置に対応して形成された複数のレンズ部49を有している。レンズ部49は、発光素子46からの光を所定方向に向けて配光する。
【００２１】
そして、取付板22とレンズモジュール44との間に発光モジュール43の基板45を挟み込んだ状態で、レンズモジュール44および発光モジュール43が取付板22にねじ止めされ、発光モジュール43の基板45が取付板22の下面に密着されている。
【００２２】
また、透光カバー24は、例えば透光性を有する樹脂材料やガラスによって形成され、周辺部には筐体20の凹溝30に侵入してパッキング31に接触する環状の圧接部52を有している。そして、透光カバー24の四隅が筐体20のボス32にねじ止めされ、圧接部52が筐体20の凹溝30との間でパッキング31に圧接されている。
【００２３】
また、電源ユニット25は、バッテリー14から供給される直流電力を発光素子46の点灯用となる所定の直流電力に変換し、変換した所定の直流電力を発光モジュール43に供給する。電源ユニット25は、電源基板55、およびこの電源基板55上に実装された複数の電気部品56を有している。電源基板55は配線パターンが形成されたプリント配線基板であり、電源基板55の上面に電気部品56が実装されている。電源基板55には、複数の取付孔57が形成されている。本実施形態では、電源基板55の四隅に取付孔57がそれぞれ形成されている。
【００２４】
電源基板55は、複数の取付具58によって取付板22の上面に取り付けられている。取付具58は、例えば絶縁性を有する樹脂材料によって形成され、電源基板55の取付孔57に差し込まれて電源基板55に抜け止め保持される基板保持部59、および取付板22に設けられた突出部38の挿通孔40に差し込まれて突出部38に抜け止め保持される取付板保持部60を有している。なお、組立時には、取付具58の基板保持部59を先頭として取付板22の窪み部39に挿入し、基板保持部59を挿通孔40に差し込んで貫通させ、取付板保持部60を挿通孔40に差し込んで突出部38に取り付け、突出部38から突出している基板保持部59を電源基板55の取付孔57に差し込んで取り付ける。そして、複数の取付具58によって、電源基板55は、取付板22の上面と略平行に所定の絶縁距離をあけて支持され、さらに、電気部品56と筐体20との間にも所定の絶縁距離が確保されている。また、取付具58は、窪み部39内に配置され、取付板22の下面から突出することはない。
【００２５】
電源ユニット25の入力側に入力配線34がコネクタ接続され、出力側にコネクタ接続された図示しない出力配線が取付板22の配線溝22aを通じて発光モジュール43のコネクタ47にコネクタ接続されている。
【００２６】
次に、本実施形態の作用を説明する。
【００２７】
コントローラ15は、太陽電池パネル13から出力される電力値（例えば電圧値）を常に監視している。
【００２８】
例えば日の出により夜間から昼間に移行し、日照量の増加に対応して太陽電池パネル13で発電する電力値が所定の閾値を上回ると、コントローラ15は、充電可能と判断し、太陽電池パネル13で発電される電力をバッテリー14に充電する。なお、このとき、照明器具12の発光モジュール43が点灯中であれば、バッテリー14から照明器具12への電力供給を停止する。
【００２９】
一方、日没によって昼間から夜間に移行し、日照量の減少に対応して太陽電池パネル13で発電される電力値が所定の閾値を下回ると、コントローラ15は、放電可能と判断し、バッテリー14に蓄えられた電力を放電し、照明器具12に供給する。照明器具12に供給される直流電力を電源ユニット25に入力し、この電源ユニット25で所定の直流電力に変換して発光モジュール43に供給し、発光モジュール43の発光素子46が点灯する。
【００３０】
また、照明器具12は、１つの取付板22に発光モジュール43および電源ユニット25を取り付け、この取付板22を筐体20に取り付ける構造となっている。そのため、発光モジュール43および電源ユニット25をそれぞれ個別の部品を用いて筐体20に取り付ける場合に比べて、部品点数を削減でき、さらに、１つの取付板22に取り付けられる発光モジュール43および電源ユニット25をコンパクトに構成することができ、電源ユニット25と筐体20との間に所定の絶縁距離を確保したうえで筐体20を小形化することができる。
【００３１】
また、取付板22の下面に発光モジュール43を取り付け、取付板22の上面に電源ユニット25を取り付けることにより、１つの取付板22に取り付けられる発光モジュール43および電源ユニット25をコンパクトに構成することができる。
【００３２】
また、取付板22は、下面に窪み部39が設けられるように上面から突出された突出部38を有し、この突出部38に電源ユニット25を取り付けるため、取付具58を用いても取付具58が窪み部39内に配置されて、取付板22の下面には突出物がなく、取付板22の下面に発光モジュール43の基板45を密着させることができ、基板45から取付板22への熱伝導性を確保し、発光素子46の放熱性を向上できる。
【００３３】
なお、照明装置10には、さらに風車発電機を付加してもよい。風車発電機はポール11の上端に設置し、風車用コントローラによって風車発電機が発電する電力をバッテリー14に充電するようにする。
【００３４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３５】
12    照明器具
20    筐体
22    取付板
25    電源ユニット
38    突出部
39    窪み部
43    発光モジュール
46    発光素子
【図１】
2016162595.tif 000003
【図２】
2016162595.tif 000004
【図３】
2016162595.tif 000005
【図４】
2016162595.tif 000006